(57)【要約】【課題】たとえ２種類のコンタクトを有していた場合であってもコンタクトを互いに独立して配列可能とするコネクタを提供すること。【解決手段】アクチュエータ４０の加圧部５０とコンタクト１０の接点部１２とでＦＰＣ５を挟持することによりＦＰＣ５を保持する一方で加圧部５０をＦＰＣ５に向けて押し付けた際に加圧部５０から受ける反力を利用してコンタクト６０の接点部７０をＦＰＣ５上の接点部（図示せず）と接触させることとする。これにより、コンタクト６０の配列をコンタクト１０の配列から独立させることができる。【選択図】図４
2011029086.tif 000002
【特許請求の範囲】
【請求項１】
接続対象物が挿入される挿入口を有するコネクタにおいて、
ハウジングと、
加圧部を有するアクチュエータであって、前記接続対象物が挿入可能な開位置と前記挿入口に対して挿入された前記接続対象物を前記加圧部によって加圧する閉位置との間で回動可能となるように前記ハウジングに保持されたアクチュエータと、
前記ハウジングに保持されたコンタクトと
を備えるコネクタにおいて、
前記コンタクトは、バネ部と、該バネ部に支持された被支持部とを備えており、
前記被支持部は、前記アクチュエータが前記閉位置にあるときに前記挿入口に対して挿入された前記接続対象物に向けて前記加圧部を押し付ける一方で前記接続対象物から遠ざかる方向へ向かう反力を前記加圧部から受ける押付部と、前記アクチュエータが前記閉位置にあるときに前記接続対象物と接触する接点部とを備えており、
前記反力によって前記押付部が前記接続対象物から遠ざかる方へ移動させられた際に前記接点部が前記接続対象物に押し付けられるように、前記被支持部は前記バネ部に支持されている
コネクタ。
【請求項２】
請求項１記載のコネクタであって、
前記被支持部は、前記押付部と前記接点部との間に位置する被支持点において前記バネ部に支持されている
コネクタ。
【請求項３】
請求項２記載のコネクタであって、
前記被支持部は、前記挿入口に対して前記接続対象物が挿入された際に、該接続対象物に近い第２縁部と該接続対象物から遠い第１縁部とを有しており、
前記押付部と前記接点部とは前記第２縁部上に形成されており、
前記被支持点は前記第１縁部上に形成されている
コネクタ。
【請求項４】
請求項１乃至請求項３のいずれかに記載のコネクタであって、
付加的接点部を有する付加的コンタクトを更に備えており、
前記接続対象物は平板状又はシート状であって両面に対象物側接点部が形成されたものであり、
前記コンタクトの前記接点部は前記接続対象物の一方の面に形成された前記対象物側接点部と接触するためのものであり、
前記付加的コンタクトの前記付加的接点部は、前記接続対象物の他方の面に形成された前記対象物側接点部と接触するためのものであり、
前記加圧部は、前記アクチュエータが前記閉位置にあるとき、前記接続対象物を前記付加的接点部に向けて押圧し、それによって前記接続対象物の他方の面に形成された前記対象物側接点部と前記付加的接点部とを接触させる
コネクタ。
【請求項５】
請求項４記載のコネクタであって、
前記付加的接点部と前記加圧部とは、前記アクチュエータが前記閉位置にあるときに前記挿入口に挿入された前記接続対象物を挟持するように、設けられている
コネクタ。
【発明の詳細な説明】
【技術分野】
【０００１】
本発明は、ＦＰＣ（Flexible Printed Circuit）やＦＦＣ（Flexible Flat
Cable）と接続するコネクタに関する。
【背景技術】
【０００２】
この種のコネクタとしては、例えば、特許文献１に開示されたものがある。特許文献１に開示されたコネクタは、両面に接点部を有するＦＰＣを接続対象物とするものであり、ハウジングと、ハウジングに回動可能に保持されたアクチュエータと、ＦＰＣの表面に形成された接点部と接触する第１コンタクトと、ＦＰＣの裏面に形成された接点部と接触する第２コンタクトとを備えている。ここで、第１コンタクトは、先端に接点部を有し且つ後端に被押圧部を有している。また、第１コンタクトは、後端の被押圧部をアクチュエータの押圧部によって上側に押圧された際に先端の接点部がＦＰＣの表面の接点部に向けて移動するように、ハウジングに保持されている。即ち、第１コンタクトはシーソーのように動作する。
【先行技術文献】
【特許文献】
【０００３】
【特許文献１】特開２００４−１２７５５８号公報
【発明の概要】
【発明が解決しようとする課題】
【０００４】
特許文献１のコネクタにおいては、第１コンタクトの接点部と第２コンタクトの接点部とでＦＰＣを挟持することで、第１コンタクトの接点部及び第２コンタクトの接点部とＦＰＣの両面に形成された接点部との接触を図っているため、第１コンタクトと第２コンタクトとは、ピッチ方向において交互に並べられている（例えば、特許文献１の００１７段落参照）。即ち、特許文献１のコネクタにおいては、一方のコンタクトの配列を行う際に他方のコンタクトの配列も考慮しなければならず、コンタクトの配列の自由度が低いといった問題がある。
【０００５】
そこで、本発明は、たとえ２種類のコンタクトを有していた場合であってもコンタクトを互いに独立して配列可能とするコネクタを提供することを目的とする。
【課題を解決するための手段】
【０００６】
本発明によれば、第１のコネクタとして、
接続対象物が挿入される挿入口を有するコネクタにおいて、
ハウジングと、
加圧部を有するアクチュエータであって、前記接続対象物が挿入可能な開位置と前記挿入口に対して挿入された前記接続対象物を前記加圧部によって加圧する閉位置との間で回動可能となるように前記ハウジングに保持されたアクチュエータと、
前記ハウジングに保持されたコンタクトと
を備えるコネクタにおいて、
前記コンタクトは、バネ部と、該バネ部に支持された被支持部とを備えており、
前記被支持部は、前記アクチュエータが前記閉位置にあるときに前記挿入口に対して挿入された前記接続対象物に向けて前記加圧部を押し付ける一方で前記接続対象物から遠ざかる方向へ向かう反力を前記加圧部から受ける押付部と、前記アクチュエータが前記閉位置にあるときに前記接続対象物と接触する接点部とを備えており、
前記反力によって前記押付部が前記接続対象物から遠ざかる方へ移動させられた際に前記接点部が前記接続対象物に押し付けられるように、前記被支持部は前記バネ部に支持されている
コネクタが得られる。
【０００７】
また、本発明によれば、第２のコネクタとして、第１のコネクタであって、
前記被支持部は、前記押付部と前記接点部との間に位置する被支持点において前記バネ部に支持されている
コネクタが得られる。
【０００８】
また、本発明によれば、第３のコネクタとして、第２のコネクタであって、
前記被支持部は、前記挿入口に対して前記接続対象物が挿入された際に、該接続対象物に近い第２縁部と該接続対象物から遠い第１縁部とを有しており、
前記押付部と前記接点部とは前記第２縁部上に形成されており、
前記被支持点は前記第１縁部上に形成されている
コネクタが得られる。
【０００９】
また、本発明によれば、第４のコネクタとして、第１乃至第３のコネクタのいずれかであって、
付加的接点部を有する付加的コンタクトを更に備えており、
前記接続対象物は平板状又はシート状であって両面に対象物側接点部が形成されたものであり、
前記コンタクトの前記接点部は前記接続対象物の一方の面に形成された前記対象物側接点部と接触するためのものであり、
前記付加的コンタクトの前記付加的接点部は、前記接続対象物の他方の面に形成された前記対象物側接点部と接触するためのものであり、
前記加圧部は、前記アクチュエータが前記閉位置にあるとき、前記接続対象物を前記付加的接点部に向けて押圧し、それによって前記接続対象物の他方の面に形成された前記対象物側接点部と前記付加的接点部とを接触させる
コネクタが得られる。
【００１０】
また、本発明によれば、第５のコネクタとして、第４のコネクタであって、
前記付加的接点部と前記加圧部とは、前記アクチュエータが前記閉位置にあるときに前記挿入口に挿入された前記接続対象物を挟持するように、設けられている
コネクタが得られる。
【発明の効果】
【００１１】
本発明によれば、アクチュエータの加圧部を用いて接続対象物（例えばＦＰＣやＦＦＣ）の保持を行う一方で加圧部を接続対象物に向けて押し付けた際に加圧部から受ける反力を利用してコンタクトの接点部を接続対象物上の接点部と接触させることとしたため、コンタクトと接続対象物の反対側にある付加的コンタクトをピッチ方向において交互に並べる必要はない。即ち、接続対象物の反対側にある付加的コンタクトの配列を考慮することなく、コンタクトの配列を行うことができる。
【００１２】
また、本発明によれば、加圧部で接続対象物を固定した後にコンタクトの接点部と接続対象物の接点部との接触を図ることができることから、接触信頼性の向上を図ることができる。なお、当該効果は、付加的コンタクトが無い場合（即ち、加圧部とハウジングで接続対象物を挟持する場合など）においても得られるものである。
【図面の簡単な説明】
【００１３】
【図１】本発明の実施の形態によるコネクタを示す斜視図である。コネクタに含まれるアクチュエータは開位置にある。
【図２】図１のコネクタを示す他の斜視図である。コネクタに含まれるアクチュエータは開位置にある。
【図３】図１のコネクタを示す断面図である。アクチュエータは開位置に位置している。
【図４】図１のコネクタを示す断面図である。アクチュエータは閉位置に位置している。
【図５】図４のアクチュエータの加圧部とその近傍を拡大して示す断面図である。
【図６】図４のコネクタの変形例を示す断面図である。この変形例によるコネクタは、下側のコンタクトを有していない。
【発明を実施するための形態】
【００１４】
図１及び図２を参照すると、本発明の実施の形態によるコネクタ１は、金属製のコンタクト（付加的コンタクト）１０と、コンタクト１０を保持する絶縁性のハウジング２０と、ハウジング２０に対して回動自在に取り付けられた絶縁性のアクチュエータ４０と、ハウジング２０に保持された金属製のコンタクト（付勢手段）６０とを備えている。このコネクタ１は、図３及び図４に示されるように、ＦＰＣ（又はＦＦＣ）５と接続するためのものである。なお、ＦＰＣ５の上面と下面には夫々対象物側接点部（例えば配線パターンなど：図示せず）が形成されている。
【００１５】
図３及び図４に示されるように、コンタクト１０は、ハウジング２０のＦＰＣ（又はＦＦＣ）５の挿入側である前端２０ａから後端２０ｂ側に向けて圧入され、それによってハウジング２０に保持されている。コンタクト１０は、ＦＰＣ５の下面に形成された対象物側接点部と接触するための接点部（付加的接触部）１２を備えている。この接点部１２は、コンタクト１０のバネ性により、コネクタ１の厚み方向（Ｚ方向）に沿って変位可能である。
【００１６】
図１乃至図４を参照すると、ハウジング２０は、コネクタ１の幅方向（Ｙ方向）の両側に形成された軸受部２２と、コネクタ１に対するＦＰＣ５の挿入方向（Ｘ方向）において軸受部２２と前端２０ａとの間に形成された回動規制部２４とを備えている。軸受部２２は、Ｙ方向に凹み且つＺ方向に沿って延びる溝である。本実施の形態による軸受部２２は、後述するアクチュエータ４０の取り付け工程を考慮し、上端の角部をベベル加工してある。回動規制部２４は、後述するようにアクチュエータ４０の一部を受けることにより、アクチュエータ４０の回動範囲を規制するためのものである（図１及び図３参照）。
【００１７】
図３及び図４を参照すると、コンタクト６０は、ハウジング２０の後端２０ｂから前端２０ａ側に向けて圧入され、それによってハウジング２０に保持されている。本実施の形態によるコンタクト６０は、ハウジング２０の後端２０ｂ側に保持された被保持部６２と、被保持部６２に支持されたバネ部６４と、バネ部６４によって弾性的に支持された被支持部６６とを備えている。本実施の形態における被支持部６６は、指状又はライフル状の形状を有しており、アクチュエータ４０の加圧部５０（後述）を押圧する押付部６８と、ＦＰＣ５の上面に形成された対象物側接点部と接触する接点部７０とを備えている。この被支持部６６は、押付部６８と接点部７０との間に位置する被支持点６６ｃにおいてバネ部６４によって支持されている。
【００１８】
詳しくは、図３乃至図５に示されるように、被支持部６６は上側の縁部である第１縁部６６ａと下側の縁部である第２縁部６６ｂとを有している。押付部６８と接点部７０は第２縁部６６ｂ上に形成されており、被支持点６６ｃは第１縁部６６ａ上に形成されている。即ち、被支持部６６は、押付部６８と接点部７０が形成されている側とは反対側をバネ部６４によって支持されている。これにより、被支持部６６の下側とハウジング２０との間にＦＰＣ５を挿入することができる。
【００１９】
更に、上述した構成から明らかなように、本実施の形態においては、被支持点６６ｃが移動可能となるようにバネ部６４に支持されている一方で、押付部６８及び接点部７０と被支持点６６ｃとを含む系においては押付部６８と接点部７０とは被支持点６６ｃを中心として円弧状に移動可能となるようにバネ部６４に支持されている。即ち、被支持部６６は、被支持点６６ｃを中心とする相対的な系においては、被支持点６６ｃを中心として回動可能となっている。従って、被支持部６６が図３に示される初期状態にある場合において、被支持部６６の押付部６８を上に向けて押し上げると、接点部７０が下側に移動する。この接点部７０の移動により、挿入口２にＦＰＣ５が挿入されていた場合には、そのＦＰＣ５の上面に形成された対象物側接点部に対して、接点部７０が押し付けられることになる（図４参照）。詳しくは、押付部６８が加圧部５０（後述）をＦＰＣ５に対して押し付けると、その反力としてＦＰＣ５から遠ざかる方向（上側）へ向かう力を受け、それによって押付部６８が上側へ移動させられると共に接点部７０が下側（接点部から見てＦＰＣ５側）に移動させられる。
【００２０】
図１乃至図４を参照すると、アクチュエータ４０は、Ｙ方向の両端に設けられた回動軸部４２と、収容部４４と、被受部４６と、連通スリット４８と、加圧部５０とを備えている。
【００２１】
図２から理解されるように、回動軸部４２は、アクチュエータ４０の両端からＹ方向外側に向かって突出しており、ハウジング２０の軸受部２２に受容されている。回動軸部４２が軸受部２２に受容されることにより、本実施の形態によるアクチュエータ４０は、開位置（図３）と閉位置（図４）との間で回動可能となっている。
【００２２】
本実施の形態による回動軸部４２は、ＸＺ平面内において円形形状の断面を有している。この回動軸部４２の直径は、ハウジング２０の軸受部２２のＸ方向における長さ（即ち、軸受部２２を構成する溝の幅）よりも若干小さく構成されている。これにより、軸受部２２内における回動軸部４２の回動やＺ方向に沿った移動は許容される一方で、回動軸部４２のＸ方向に沿った移動は規制されている。
【００２３】
被受部４６は、アクチュエータ４０のＹ方向両端に位置しており、アクチュエータ４０の前面及び上面（前及び上は、閉位置を基準とした：以下、アクチュエータ４０に関する表現において同じ）の一部で構成されている。図３に示されるように、アクチュエータ４０が開位置にあるとき、アクチュエータ４０の被受部４６は、回動規制部２４によって受け止められており、それによって、アクチュエータ４０が開位置を超えて回動することが防止されている。なお、本実施の形態においては、アクチュエータ４０を挿入方向（＋Ｘ方向）に向けて倒すように操作することにより、アクチュエータ４０を開位置から閉位置に向けて回動させることとしているが、本発明はこれに限定されるものではなく、アクチュエータ４０を挿入方向と逆方向（−Ｘ方向）に向けて倒すように操作することにより開位置から閉位置に向けて回動させることとしてもよい。この場合、回動規制部２４は挿入方向において軸受部２２とハウジング２０の後端２０ｂとの間に位置することとなり、また、被受部４６はアクチュエータ４０の上面と後面の一部で構成されることとなる。
【００２４】
収容部４４は、図４に示されるように、アクチュエータ４０が閉位置にあるときにハウジング２０の後端２０ｂ側を収容する部位である。
【００２５】
図３及び図４から理解されるように、連通スリット４８は、アクチュエータ４０の前面と収容部４４とを連通するスリットであり、コンタクト（付勢手段）６０毎に設けられている。具体的には、各コンタクト６０の被支持部６６、特に押付部６８は、各連通スリット４８内に位置している。
【００２６】
加圧部５０は、アクチュエータ４０の前面の下側付近（前縁付近）に設けられており、その一部は連通スリット４８内に面している。これにより、加圧部５０は、コンタクト６０の被支持部６６と連通スリット４８内において接触することができる。
【００２７】
前述のように、回動軸部４２がＸＺ平面内において円形形状の断面を有しているのに対して、加圧部５０は、ＸＺ平面内において略楕円状又は略競技用トラック形状の断面を有している。従って、アクチュエータ４０の回動により加圧部５０とコンタクト１０の接点部１２との間の距離を変えることができる（図３及び図４参照）。
【００２８】
図１及び図３に示されるように、アクチュエータ４０が開位置にあるとき、加圧部５０は比較的上方に位置しており、アクチュエータ４０とハウジング２０とは、ＦＰＣ５をＸ方向に沿って挿入可能な挿入口２を規定している。ここで、図３から理解されるように、挿入口２にＦＰＣ５が挿入されていない状態において、コンタクト１０の接点部１２は挿入口２内に位置している。
【００２９】
挿入口２にＦＰＣ５を挿入した状態でアクチュエータ４０を開位置から閉位置まで回動すると、アクチュエータ４０の加圧部５０はコンタクト６０の押付部６８によって下側に向けて付勢されている。即ち、挿入口２にＦＰＣ５が挿入された状態でアクチュエータ４０を開位置から閉位置に回動すると、加圧部５０が実質的にＺ方向のみに沿ってＦＰＣ５を押圧するように、コンタクト６０の被支持部６６は加圧部５０を付勢している。この際、押付部６８は加圧部５０から上側（ＦＰＣ５から遠ざかる方向）に向かう反力を受ける。前述したように、押付部６８が上側に移動させられると、接点部７０が下側（ＦＰＣ５に近づく方向）に移動させられる。それによって、ＦＰＣ５の上側に形成された対象物側接点部に対してコンタクト６０の接点部７０が押し付けられる。
【００３０】
上述した本発明の実施の形態によるコネクタ１においては、コンタクト６０の接点部７０とコンタクト１０の接点部１２とでＦＰＣ５を挟持する構成ではなく、アクチュエータ４０の加圧部５０とコンタクト１０の接点部１２とでＦＰＣ５を挟持する一方で、コンタクト６０の接点部７０をＦＰＣ５の上側の対象物側接点部に接触させることとしたことから、コンタクト６０の配列とコンタクト１０の配列とを互いに独立させることができる。
【００３１】
加えて、アクチュエータ４０の加圧部５０によって、最初にＦＰＣ５が押圧されＦＰＣ５を固定するのと同時にコンタクト６０の接点部７０が移動して、即ち、ＦＰＣ５が移動しないため、コンタクト６０の接点部７０とＦＰＣ５の上側の対象物側接点部との接触を図ることができることから、接触信頼性の向上を図ることができる。
【００３２】
上述した実施の形態においては、ＦＰＣ５が両面に対象物側接点部を有するものであったが、図６に示されるように、上面のみに対象物側接点部が形成されたＦＰＣ７も使用することができる。図６のコネクタ１′は、下側のコンタクト１０を有さないものであり、挿入されたＦＰＣ７をハウジング２０′とアクチュエータ４０の加圧部５０とで挟持するものである。この図６に示されるコネクタ１′においても、加圧部５０はＺ方向に沿ってＦＰＣ７に対して加圧することができ、且つ、加圧した状態において、その反力を利用して接点部７０をＦＰＣ７の対象物側接点部に接触させることができる。
【符号の説明】
【００３３】
１，１′        コネクタ
２        挿入口
５，７        ＦＰＣ
１０        コンタクト
１２        接点部
２０，２０′        ハウジング
２０ａ        前端
２０ｂ        後端
２２        軸受部
２４        回動規制部
４０        アクチュエータ
４２        回動軸部
４４        収容部
４６        被受部
４８        連通スリット
５０        加圧部
６０        コンタクト（付勢手段）
６２        被保持部
６４        バネ部
６６        被支持部
６６ａ        第１縁部
６６ｂ        第２縁部
６６ｃ        被支持点
６８        押付部
７０        接点部
【図１】
2011029086.tif 000003
【図２】
2011029086.tif 000004
【図３】
2011029086.tif 000005
【図４】
2011029086.tif 000006
【図５】
2011029086.tif 000007
【図６】
2011029086.tif 000008